(57)【特許請求の範囲】
【請求項１】
遊技盤に形成された遊技領域が臨む開口部を有する枠状体であり、該開口部を後方から塞ぐ透明部材を備えた前面カバー部材が前面枠に開閉可能に設けられた遊技機において、
前記前面カバー部材は、
当該前面カバー部材における外周縁と開口内周縁との間を前方に膨出形成し、
前記開口部を設けた枠状体であるとともに、当該前面カバー部材の膨出先端部分から前記開口内周縁に連なる内周面を形成する額縁部材と、
中央に略方形状のベース開口部を有するとともに、当該ベース開口部の内周縁に沿って前記額縁部材を取り付け、当該前面カバー部材の膨出先端部分から前記外周縁に連なる外周面を形成するベース部材と、を備え、
尚且つ、
前記額縁部材には、その上部に、第１発光手段取付部として形成された窪部に第１発光手段を設け、
前記ベース部材には、その上部に、第２発光手段取付部として形成された窪部に第２発光手段を設け、前記第１発光手段と前記第２発光手段との間を区画する区画壁部を立設し、
前記第１発光手段は、
遊技者側に向いて傾倒した状態で前記第１発光手段取付部に取り付けられて、遮光性を有する前面カバー部材の膨出部分及び前記区画壁部により覆われて、当該遊技機の側方からその発光状態を視認し難い状態で配置される第１レンズ部材を有し、主として遊技者に知らせたい情報の報知を行い、
前記第２発光手段は、
左右方向に延在するとともにその左右両端部を当該遊技機の側方から視認可能な程度に下方に屈曲させた略アーチ状に形成され、前記区画壁部とともに第１レンズ部材の上部を覆う状態で配置される第２レンズ部材を有し、主として従業員に知らせたい情報の報知を行うように構成したことを特徴とする遊技機。
【発明の詳細な説明】
【０００１】
【発明の属する技術分野】
本発明は、パチンコ遊技機やアレンジボール遊技機等、開口部を備えた前面カバー部材により遊技盤を前方から覆い、開口部を通じて遊技盤の遊技領域を視認可能に構成した遊技機に関する。
【０００２】
【従来の技術】
従来の技術を代表的な遊技機であるパチンコ遊技機を例に挙げて説明する。
この種のパチンコ遊技機では、遊技球が流下可能な遊技領域を遊技盤の前面に形成してあり、この遊技領域を前方から覆うように透明部材（例えば、前面ガラス）を配設してある。この透明部材は透明部材保持枠に保持されている。そして、透明部材保持枠には方形状の金属製枠体が一般的に用いられており、透明部材保持枠は前面枠に開設した開口部に開閉可能な状態で取り付けてある。
この透明部材保持枠の閉止時には、透明部材保持枠の前面は、前面枠の前面よりも僅かに前方に突出した状態になる。従って、これらの透明部材保持枠と前面枠とにより、遊技機の前面は平坦な面となっている。そして、遊技盤の遊技領域は、透明部材保持枠に保持された透明部材を通じて遊技者側から視認できる。
また、遊技盤には、発光により装飾表示を行う装飾部材を配設してあり、補助遊技におけるリーチ時や大当たり時等においては、この装飾部材を発光させて装飾表示を行う。この装飾部材による装飾表示もまた、透明部材を通じて遊技者側から視認できる。
【０００３】
【発明が解決しようとする課題】
ところで、このパチンコ遊技機において、遊技時の装飾表示は、主に遊技盤に設けた装飾部材等で行っている。このため、装飾表示が単調となってしまい、装飾性を高めた表示が行い難かった。
【０００４】
また、パチンコ遊技機の前面、即ち、前面枠の前面及び透明部材保持枠の前面が平坦であったため、遊技者の目には、遊技盤に設けた遊技領域及び装飾表示以外にも、遊技店の照明や近隣の遊技者の動きが映ることがある。このため、遊技者は、照明等が気になり遊技に集中できなくなってしまうことがあった。
【０００５】
また、遊技店の従業員は、通常、一群のパチンコ遊技機を隣り合わせた状態で複数台設置した島設備の脇に待機しており、補助遊技において大当たりした場合には、大当たりした遊技機に球箱を運んだりする。しかしながら、パチンコ遊技機の前面が平坦であり、装飾部材が遊技盤に設けてあったため、従業員の待機位置（即ち、島設備の脇）からは、大当たりした際における装飾部材の発光を視認し難かった。
そして、大当たりを従業員が見逃してしまった場合には、球箱が運ばれてこないので遊技者は、下皿に溜まった遊技球を球箱へ移すことができなくなる。このため、下皿が遊技球で満杯になってオーバーフロー状態になってしまう。この場合、大当たりに連動してなされる特別遊技の最中であってもパチンコ球の発射が強制的に停まってしまい、折角の大当たりによる利益が損なわれてしまう。
【０００６】
また、パチンコ遊技機の前面が平坦であるので、近隣の遊技者や後方の通路を通行している遊技者（即ち、他の遊技者）からは、遊技領域が容易に視認できてしまう。そして、補助遊技でリーチ状態になったことが他の遊技者に知られてしまうと、他の遊技者に、遊技の様子を覗き見られてしまう可能性がある。この場合、遊技者は遊技に集中し難くなり、尚且つ、覗き見られるという不快な思いをしてしまう。
【０００７】
そこで、本発明は、多彩な装飾表示が行え、尚且つ、遊技者が集中して遊技を行うことができる遊技機を提供することを目的とする。
【０００８】
【課題を解決するための手段】
上記目的達成のため、請求項１記載の発明は、遊技盤に形成された遊技領域が臨む開口部を有する枠状体であり、該開口部を後方から塞ぐ透明部材を備えた前面カバー部材が前面枠に開閉可能に設けられた遊技機において、
前記前面カバー部材は、
当該前面カバー部材における外周縁と開口内周縁との間を前方に膨出形成し、
前記開口部を設けた枠状体であるとともに、当該前面カバー部材の膨出先端部分から前記開口内周縁に連なる内周面を形成する額縁部材と、
中央に略方形状のベース開口部を有するとともに、当該ベース開口部の内周縁に沿って前記額縁部材を取り付け、当該前面カバー部材の膨出先端部分から前記外周縁に連なる外周面を形成するベース部材と、を備え、
尚且つ、
前記額縁部材には、その上部に、第１発光手段取付部として形成された窪部に第１発光手段を設け、
前記ベース部材には、その上部に、第２発光手段取付部として形成された窪部に第２発光手段を設け、前記第１発光手段と前記第２発光手段との間を区画する区画壁部を立設し、
前記第１発光手段は、
遊技者側に向いて傾倒した状態で前記第１発光手段取付部に取り付けられて、遮光性を有する前面カバー部材の膨出部分及び前記区画壁部により覆われて、当該遊技機の側方からその発光状態を視認し難い状態で配置される第１レンズ部材を有し、主として遊技者に知らせたい情報の報知を行い、
前記第２発光手段は、
左右方向に延在するとともにその左右両端部を当該遊技機の側方から視認可能な程度に下方に屈曲させた略アーチ状に形成され、前記区画壁部とともに第１レンズ部材の上部を覆う状態で配置される第２レンズ部材を有し、主として従業員に知らせたい情報の報知を行うように構成したことを特徴とする遊技機である。
【００１３】
【発明の実施の形態】
以下、本発明の実施の形態を図面を参照して説明する。なお、以下の説明においては、代表的な遊技機であるパチンコ遊技機１を例に挙げて説明する。
【００１４】
まず、パチンコ遊技機１の全体的な構成について説明する。ここで、図１は、パチンコ遊技機１の正面図、図２は、前面枠５、前面カバー部材１５及び開閉パネル１６を開放したパチンコ機本体２を正面側から見た斜視図である。
【００１５】
例示したパチンコ遊技機１は、パチンコ機本体２と、遊技カードに記憶された情報の読み書き等を行うカードユニット３とから概略構成してある。パチンコ機本体２は機枠４により囲われており、この機枠４の前方（遊技者側）には額縁状の前面枠５を開閉可能に取り付けてある。また、この前面枠５の窓部には、後方から臨ませた状態で遊技盤６を取り付けてある。即ち、遊技盤６は、図２に示す遊技盤収納フレーム内の取付空部７に収納した状態で取り付ける。
【００１６】
この遊技盤６は、ガイドレール等の区画部材８により区画された遊技領域９を前面に備えている。この遊技領域９は、発射された遊技球が流下する領域であり、その中央には、液晶表示装置やブラウン管等により構成され、補助遊技時の表示等、各種表示を行うための可変表示装置１０を配設してある。なお、補助遊技とは、例えば、横並び配置した３つの図柄を始動条件の成立により高速で可変表示し、その後、各図柄の可変表示を順次停止させ、全図柄の停止時において、各図柄が所定図柄で揃った場合（例えば、７，７，７）を大当たりとする図柄合わせ遊技である。
この可変表示装置１０の下方には、遊技球の入賞が補助遊技の始動条件として設定されている始動口１１を設けてあり、始動口１１の下方には、補助遊技の大当たりに連動してなされる特別遊技にて周期的に開放し、開放時には遊技球を容易に入賞させ得る変動入賞装置（アタッカー）１２を設けてある。
【００１７】
一方、前面枠５の窓部を前方から塞ぐようにして、前面カバー部材１５と開閉パネル１６とを上下に配設して共に開閉可能とし、開閉パネル１６の前面には、上皿２５を前方に突出した状態で設けてあり、開閉パネル１６の下方には、発射操作部２６と下皿２７と灰皿２８とを設けてある。
【００１８】
上記した前面カバー部材１５は、図２に示すように、開口部１７を中央に開設した額縁状の枠体であり、合成樹脂により構成してある。この前面カバー部材１５は、外周縁１８と開口内周縁１９との間を前方に膨出形成すると共に、図１に示すように、膨出先端部分２０から外周縁１８に連なる外周面１５Ａと膨出先端部分２０から開口内周縁１９に連なる内周面１５Ｂとを設けてある。そして、前面カバー部材１５における上部であって内周面１５Ｂ側には第１発光部２１を設け、一方、外周面１５Ａ側には第２発光部２２を設ける。また、この前面カバー部材１５の裏面側には透明部材保持枠２３を止着してある。この透明部材保持枠２３には、透明な前面ガラス（透明部材の一種）２４を保持させてあり、開口部１７を後方から塞いでいる。
【００１９】
そして、前面カバー部材１５が閉じられた状態では、透明部材保持枠２３が保持した前面ガラス２４が遊技盤６の遊技領域９を前方から覆うと共に、開口部１７からは遊技領域９が臨む。従って、遊技者は、前面ガラス２４を通じて開口部１７から臨んだ遊技領域９を視認することができる。
【００２０】
次に、前面カバー部材１５の構成について詳細に説明する。ここで、図３は前面カバー部材１５の構成を説明する分解斜視図、図４は、第１発光部２１及び第２発光部２２の構成を説明する図で、図１におけるＡ−Ａ断面図である。
【００２１】
まず、前面カバー部材１５を構成する各構成部材について説明する。図３に示すように、本実施形態の前面カバー部材１５は、ベース部材３１、額縁部材３２、第１発光部２１及び第２発光部２２から構成してある。
【００２２】
ベース部材３１は、中央に略方形状のベース開口部３３を設けた略正方形状の枠体であり、本実施形態では遮光性を備えた合成樹脂により一体成型してある。
このベース部材３１の上部には第２発光部２２を取り付けるための第２発光部取付部３４を設けてあり、ベース開口部３３の内周縁の近傍には、この内周縁に沿って額縁部材３２を取り付けるための額縁部材取付部３５を設けてある。なお、本実施形態において、この額縁部材取付部３５は、額縁部材３２が嵌合可能な窪部である。
【００２３】
そして、第２発光部取付部３４と額縁部材取付部３５との境界部分には、この境界部分に沿って区画壁部３６を前方に向けて立設してある。
また、ベース部材３１における第２発光部取付部３４を除いた部分において、ベース部材３１の外周縁（即ち、前面カバー部材１５の外周縁１８に相当、以下外周縁１８という）から第２発光部取付部３４までの間は、本実施形態における外周面１５Ａの一部として機能する部分であり、外周縁１８から第２発光部取付部３４に向かうにつれて前方に延出（膨出）させてある。
【００２４】
第２発光部取付部３４は、第２発光部２２の一部を構成する第２レンズ部材４４（後述）が嵌合可能な窪部であり、第２レンズ部材４４が嵌合した状態で、第２発光部２２の一部を構成する第２ランプ基板４３（後述）を収納可能な空部を第２レンズ部材４４と共に形成する。この第２発光部取付部３４の前面には、第２ランプ基板４３を止着するために前方に向けて突設した複数の基板用ボス３４ａ、第２レンズ部材４４を止着するための止着孔３４ｂ、第２ランプ基板４３の配線を裏面側に向けて案内するための第２配線通し穴３４ｃを設けてある。
【００２５】
なお、前面ガラス２４を保持する透明部材保持枠２３もまた、このベース部材３１の背面に止着してある。
【００２６】
額縁部材３２は、遊技盤６の遊技領域９を視認可能とする略正方形状の開口部、即ち、前面カバー部材１５における開口部１７を設けた枠状体であり、本実施形態においては遮光性を備えた合成樹脂により一体成型してある。そして、開口内周縁１９と額縁部材３２における外周縁３２Ａとの間は、本実施形態における前面カバー部材１５の内周面１５Ｂとして機能する部分であり、開口内周縁１９から額縁部材３２の外周縁３２Ａに向かうにつれて徐々に前方に膨出させた傾斜面としてある。
【００２７】
この額縁部材３２の上部（内周面１５Ｂ側）には、第１発光部２１を取り付けるための第１発光部取付部３８（本発明における第１発光手段取付部に相当）を設けてある。この第１発光部取付部３８は、第１発光部２１の一部を構成する第１レンズ部材４１（後述）が止着される窪部である。この第１発光部取付部３８における止着面（即ち、前面）３８ａは、図４に示すように、上縁を前方側（前面枠５の前面から離隔した側）に位置させると共に、下縁を後方側（前面枠５の前面に近接した側）に位置させた傾倒状態で設けてある。また、この第１発光部取付部３８には、第１レンズ部材４１を止着するためのビスを通すためのネジ孔３８ｂや、止着された第１ランプ基板４０の配線を裏面側に向けて案内するための第１配線通し穴３８ｃを設けてある。
【００２８】
第１発光部２１は、本実施形態における第１発光手段として機能する第１ランプ基板４０と、本実施形態における第１透光部材として機能する第１レンズ部材４１とから構成してある。
第１ランプ基板４０は、多数のＬＥＤ（発光ダイオード）４０ａと配線基板４０ｂとから構成してあり、本実施形態では、上下２段に横並びに配置したＬＥＤ４０ａ…を配線基板４０ｂに固定して一体化してある。
【００２９】
第１レンズ部材４１は、後面が開放した中空箱状の部材であり、本実施形態においては、透光性を備えた合成樹脂により形成してある。そして、図４に示すように、第１レンズ部材４１の前面部裏面には、基板用ボス４１ａを後方に向けて立設してある。そして、第１ランプ基板４０は、ビス等により基板用ボス４１ａに止着されることにより、第１レンズ部材４１の空部に収納された状態で固定される。
また、第１レンズ部材４１の前面部裏面には、第１レンズ部材４１を額縁部材３２に止着するためのレンズ部材用ボス４１ｂを後方に立設してある。
【００３０】
一方、この第１レンズ部材４１の前面の左側には、異常時等において遊技球の排出を停止する際に発光する排出停止レンズ部４１ｃを設けてあり、右側には賞球を排出する際に発光する賞球レンズ部４１ｄを設けてある。なお、これらの排出停止レンズ部４１ｃ及び賞球レンズ部４１ｄは、第１ランプ基板４０における所定のＬＥＤ４０ａの発光により発光する。
また、この第１レンズ部材４１における他の部分は、例えば、上記した補助遊技時にリーチ状態になった場合、この補助遊技で大当たりした場合、上記した特別遊技を行っている場合等、遊技者に情報を報知する場合に発光する。
【００３１】
なお、この第１レンズ部材４１に関し、本実施形態では後面が開放した中空箱状のものを例示したが、前面カバー部材１５の内周面１５Ｂ（額縁部材３２における開口内周縁１９と外周縁３２Ａとの間の面）と連続した平面を形成する形状のものでも良い。
【００３２】
第２発光部２２は、本実施形態における第２発光手段として機能する第２ランプ基板４３と、本実施形態における第２透光部材として機能する第２レンズ部材４４とから構成してある。
【００３３】
第２ランプ基板４３は、複数のＬＥＤ４３ａ…と配線基板４３ｂとから構成してある。本実施形態では、横並びに配置したＬＥＤ４３ａ…を配線基板４３ｂに固定して一体化したものを２つ用いてあり、各ランプ基板４３，４３を横並び状態で配置してある。
【００３４】
第２レンズ部材４４は、第２発光部取付部３４に嵌合可能な形状に形成してあり、本実施形態における外周面１５Ａの一部を構成する。具体的には、図４に示すように、区画壁部３６と連続する側の部分（即ち、膨出先端部分２０側の部分に相当）を前方に位置させると共に、ベース部材３１の外周縁１８側の部分（前面カバー部材１５の外周縁１８に相当）を後方に位置させた膨出形状に形成してある。
そして、この第２レンズ部材４４は、図３に示すように、第２発光部取付部３４に沿って左右方向に延在させてあると共に、左右両端部においては下向きに延在させている。換言すれば、この第２レンズ部材４４は、左右方向に延在すると共に、その左右両端部を側方から視認可能な程度に下方向へ屈曲させた略アーチ状の部材であり、第２ランプ基板４３の前方、上方及び左右両側方を覆う部材である。
また、この第２レンズ部材４４における前面部の背面には、第２レンズ部材４４をベース部材３１に止着するためのレンズ部材用ボス４４ａを後方に向けて突設してある。
【００３５】
次に、上記した各構成部材の組み付けについて説明する。
上記した各前面カバー部材１５の構成部材に関し、額縁部材３２はベース部材３１に前方から止着し、第１発光部２１は額縁部材３２の第１発光部取付部３８に取り付ける。また、第２発光部２２は、ベース部材３１の第２発光部取付部３４に取り付ける。
【００３６】
このようにして組み付けることにより、外周縁１８（ベース部材３１における外周縁に相当）と開口内周縁１９（額縁部材３２における開口内周縁１９に相当）との間を前方に膨出形成すると共に、膨出先端部分２０（額縁部材３２における前端部、第２レンズ部材４４の前端部等に相当、図４参照）から外周縁１８に連なる外周面１５Ａと膨出先端部分２０から開口内周縁１９に連なる内周面１５Ｂとを備えた前面カバー部材１５となる。
【００３７】
そして、第１発光部２１を額縁部材３２の第１発光部取付部３８に取り付けるには、まず、第１ランプ基板４０を第１レンズ部材４１の空部内に収納した状態で止着する。即ち、基板用ボス４１ａと第１ランプ基板４０の止着孔との位置を合わせ、ビス等により締め付けて第１ランプ基板４０を第１レンズ部材４１に止着する。第１ランプ基板４０を第１レンズ部材４１に止着したならば、第１レンズ部材４１を額縁部材３２（第１発光部取付部３８）に止着する。即ち、レンズ部材用ボス４１ｂの後端に設けたネジ孔と第１発光部取付部３８に設けたネジ孔３８ｂとの位置を合わせ、第１発光部取付部３８の背面側からビス等により固定する。
【００３８】
同様に、第２発光部２２をベース部材３１の第２発光部取付部３４に取り付けるには、まず、第２ランプ基板４３の止着孔とベース部材３１の基板用ボス３４ａとの位置を合わせ、ビス等により締め付けて第２ランプ基板４３，４３を第２発光部取付部３４に止着する。第２ランプ基板４３，４３を止着したならば、この第２ランプ基板４３，４３を覆うように、前方から第２レンズ部材４４を止着する。即ち、第２レンズ部材４４のレンズ部材用ボス４４ａと第２発光部取付部３４に設けた止着孔３４ｂとを位置合わせしてビス等により締め付け固定する。
【００３９】
上記の手順にて取り付けた第１発光部２１は、前面カバー部材１５における上部に位置し、図４に示すように、第１ランプ基板４０のＬＥＤ４０ａが遊技者側（即ち、前方斜め下向き）に向いた状態（傾倒状態）で配置される。
そして、この状態で第１発光部２１が発光した場合には、この第１発光部２１が、前面カバー部材１５の膨出部分における内周面１５Ｂであって上縁部に設けてあるため、遊技者の位置からは第１発光部２１の発光状態が視認し易い。
一方、近隣のパチンコ遊技機１で遊技を行っている遊技者等からは、前面カバー部材１５の膨出部分が第１発光部２１からの光を遮光するので、この第１発光部２１の発光状態が視認し難い。
【００４０】
また、第２発光部２２は、前面カバー部材１５における上端部に位置する。そして、第２発光部２２を構成する第２ランプ基板に関し、その前方、上方及び左右両側方は、前面カバー部材１５における外周面１５Ａの一部を構成すると共に、透光性を備えた第２レンズ部材４４で覆われているので、第２ランプ基板４３からの光は、第２レンズ部材４４を通じてパチンコ遊技機１の前方や左右両側方から視認することができる。即ち、島設備の両脇からでも第２発光部２２の発光状態を視認することができる。従って、遊技店の従業員の待機位置からもこの第２発光部からの光を容易に認識することができる。
【００４１】
なお、本実施形態においては、額縁部材３２及び区画壁部３６（ベース部材３１）を遮光性を備えた合成樹脂により形成してあるので、換言すれば、第１発光部２１と第２発光部２２との間に遮光性部材を配設しているので、第１発光部２１からの光及び第２発光部２２からの光は、額縁部材３２及び区画壁部３６（遮光性部材）により遮光される。このため、第１発光部２１からの光が第２発光部２２へ漏れることはなく、第２発光部２２からの光が第１発光部２１へ漏れることはない。
【００４２】
従って、遊技者の位置からは第１発光部２１の発光状態を視認することは容易であるが第２発光部２２の発光状態を視認し難く、逆に、近隣の遊技者や待機している従業員の位置からは第２発光部２２の発光状態を視認することは容易であるが第１発光部２１の発光状態を視認することが困難となるので、後述するように、報知したい内容に適した多彩な表示を行うことができる。
【００４３】
また、ベース部材３１における第１発光部取付部３８の後方には、図４に示すように、ドライバ等の工具を挿入可能な取付用孔４５を開設してあるので、この取付用孔４５を通じて前面カバー部材１５の後方側から第１発光部２１（レンズ部材）を取り付けたり取り外したりすることができる。一方、遊技者側である前方側からは、第１発光部２１を着脱することが困難である。
【００４４】
さらに、本実施形態においては、前面カバー部材１５の膨出部分、即ち、遊技者側に膨出させた外周面１５Ａ及び内周面１５Ｂにより、遊技領域９を近隣の遊技者の位置からは視認し難いように隠すと共に、遊技者の位置からは遊技店の照明等を遊技者の視界に入れ難くすることができる。このため、遊技者は、周囲の様子を気にすることなく集中して遊技を行うことができる。
【００４５】
次に、このパチンコ遊技機１における電気的構成について説明する。ここで、図５は、第１ランプ基板４０及び第２ランプ基板４３に係る部分の電気的構成を説明するブロック図である。
図５に示すように、第１ランプ基板４０、第２ランプ基板４３は、パチンコ遊技を制御する役物制御装置４６に電気的に接続されており、この役物制御装置４６からの制御信号に基づいて発光する。
【００４６】
そして、役物制御装置４６は、主として遊技者に知らせたい情報の報知を、第１ランプ基板４０（第１発光部２１）を発光させることにより行い（図６参照）、主として遊技店の従業員に知らせたい情報の報知を、第２ランプ基板４３（第２発光部２２）を発光させることにより行っている（図７参照）。さらに、遊技者と従業員の双方に知らせたい情報については、第１ランプ基板４０と第２ランプ基板４３の両方を発光させることにより行っている（図８参照）。
【００４７】
本実施形態では、通常の遊技で行われる動作については、主として遊技者に知らせたい情報として扱い、第１ランプ基板４０（第１発光部２１）の発光により報知を行っている。具体的に例示すると、遊技球の入賞に伴う賞球排出の報知、補助遊技における可変表示状態の報知、補助遊技におけるリーチ状態の報知等である。
そして、この報知は、遊技者以外からは視認することが困難であるため、遊技者は、この報知に起因して他の遊技者に遊技を覗き見られることが少なくなり、遊技に集中することができる。
【００４８】
また、不正行為に係る場合やパチンコ遊技機１の保守を必要とする場合については、主として遊技店の従業員に知らせたい情報として扱い、第２ランプ基板４３（第２発光部２２）の発光により報知を行っている。具体的に例示すると、前面カバー部材１５や前面枠５が開放された場合の報知、球詰まり等のエラーの報知、パチンコ遊技機１に貯留してある遊技球の量が不足した場合等である。
そして、この報知は、従業員等からは視認し易く、尚且つ、遊技者からは視認し難いので、従業員は速やかに保守を行うことができると共に、不正行為の発見を確実にすることができる。
【００４９】
さらに、補助遊技で大当たりした場合については、遊技者と従業員の双方に知らせたい情報として扱い、第１ランプ基板４０と第２ランプ基板４３の両方の発光により報知を行っている。
そして、この報知は、遊技者からも従業員等からも視認し易いので、遊技者は大当たりの喜びを得ることができるし、従業員は直ちに球箱を運んでくることができる。
【００５０】
このように、本実施形態では、報知対象に適した多彩な装飾表示を行うことができる。
【００５１】
なお、上記した実施形態においては、前面カバー部材１５と前面枠５とを別個の部材で構成したものを例示したが、前面カバー部材１５と前面枠５とを単一の部材により一体成型したものでも本発明を適用することができる。
【００５２】
また、パチンコ遊技機以外にも、アレンジボール遊技機、雀球遊技機、パチコン遊技機等、開口部を備えた前面カバー部材により遊技盤を前方から覆うように構成した遊技機であれば、本発明を適用することができる。
【００５３】
【発明の効果】
以上説明したように、本発明によれば次の効果を奏する。
即ち、請求項１記載の発明によれば、前面カバー部材における外周縁と開口内周縁との間を前方に膨出形成し、尚且つ、前記前面カバー部材は、当該前面カバー部材における外周縁と開口内周縁との間を前方に膨出形成し、前記開口部を設けた枠状体であるとともに、当該前面カバー部材の膨出先端部分から前記開口内周縁に連なる内周面を形成する額縁部材と、中央に略方形状のベース開口部を有するとともに、当該ベース開口部の内周縁に沿って前記額縁部材を取り付け、当該前面カバー部材の膨出先端部分から前記外周縁に連なる外周面を形成するベース部材と、を備え、前記額縁部材には、その上部に、第１発光手段取付部として形成された窪部に第１発光手段を設け、前記ベース部材には、その上部に、第２発光手段取付部として形成された窪部に第２発光手段を設けたので、第１発光手段と第２発光手段とを別個に発光させることができる。従って、多彩な装飾表示を行うことができる。
そして、前記第１発光手段と前記第２発光手段との間を区画する区画壁部を立設し、前記第１発光手段は、遊技者側に向いて傾倒した状態で前記第１発光手段取付部に取り付けられて、遮光性を有する前面カバー部材の膨出部分及び前記区画壁部により覆われて、当該遊技機の側方からその発光状態を視認し難い状態で配置される第１レンズ部材を有し、主として遊技者に知らせたい情報の報知を行い、前記第２発光手段は、左右方向に延在するとともにその左右両端部を当該遊技機の側方から視認可能な程度に下方に屈曲させた略アーチ状に形成され、前記区画壁部とともに第１レンズ部材の上部を覆う状態で配置される第２レンズ部材を有し、主として従業員に知らせたい情報の報知を行うように構成したので、遊技者以外には不要な情報については他の遊技者に知られ難くなり、尚且つ、従業員に知らせたい情報については、従業員に確実に知らせることができ、例えば、リーチ状態が発生しても他人の視線を気にすることなく遊技に集中することができる。
換言すると、第１発光手段からの光が第２発光手段へ漏れることはなく、第２発光手段からの光が第１発光手段へ漏れることはない。従って、遊技者の位置からは第１発光手段の発光状態を視認することは容易であるが第２発光手段の発光状態を視認し難く、逆に、近隣の遊技者や待機している従業員の位置からは第２発光手段の発光状態を視認することは容易であるが第１発光手段の発光状態を視認することが困難となるので、報知したい内容に適した多彩な表示を行うことができる。
【図面の簡単な説明】
【図１】パチンコ遊技機の正面図である。
【図２】前面枠、前面カバー部材及び開閉パネルを開放したパチンコ機本体を正面側から見た斜視図である。
【図３】前面カバー部材の構成を説明する分解斜視図である。
【図４】図１におけるＡ−Ａ断面図である。
【図５】第１ランプ基板及び第２ランプ基板に係る部分の電気的構成を説明するブロック図である。
【図６】第１発光部及び第２発光部の発光状態を説明する図で、第１発光部が発光している様子を示した図である。
【図７】第１発光部及び第２発光部の発光状態を説明する図で、第２発光部が発光している様子を示した図である。
【図８】第１発光部及び第２発光部の発光状態を説明する図で、第１発光部と第２発光部の両方が発光している様子を示した図である。
【符号の説明】
１  パチンコ遊技機
２  パチンコ機本体
３  カードユニット
４  機枠
５  前面枠
６  遊技盤
７  取付空部
８  区画部材
９  遊技領域
１０  可変表示装置
１１  始動口
１２  変動入賞装置
１５  前面カバー部材
１５Ａ  外周面
１５Ｂ  内周面
１６  開閉パネル
１７  開口部
１８  外周縁
１９  開口内周縁
２０  膨出先端部分
２１  第１発光部
２２  第２発光部
２３  透明部材保持枠
２４  前面ガラス
２５  上皿
２６  発射操作部
２７  下皿
２８  灰皿
３１  ベース部材
３２  額縁部材
３３  ベース開口部
３４  第２発光部取付部
３４ａ  基板用ボス
３４ｂ  止着孔
３４ｃ  第２配線通し穴
３５  額縁部材取付部
３６  区画壁部
３８  第１発光部取付部
３８ａ  止着面
３８ｂ  ネジ孔
３８ｃ  第１配線通し穴
４０  第１ランプ基板
４０ａ  ＬＥＤ
４０ｂ  配線基板
４１  第１レンズ部材
４１ａ  基板用ボス
４１ｂ  レンズ部材用ボス
４１ｃ  排出停止レンズ部
４１ｄ  賞球レンズ部
４３  第２ランプ基板
４３ａ  ＬＥＤ
４３ｂ  配線基板
４４  第２レンズ部材
４４ａ  レンズ部材用ボス
４５  取付用孔
４６  役物制御装置
【図１】
0003942254.tif 000002
【図２】
0003942254.tif 000003
【図３】
0003942254.tif 000004
【図４】
0003942254.tif 000005
【図５】
0003942254.tif 000006
【図６】
0003942254.tif 000007
【図７】
0003942254.tif 000008
【図８】
0003942254.tif 000009